(57)【要約】      （修正有）【課題】上下水道プラントの監視制御において作業効率を向上させることができる監視制御支援装置を提供することである。【解決手段】監視制御支援装置２０は、表示制御部２５を持つ。表示制御部２５は、監視制御対象となるプラントに関する情報を表示する画面を制御し、所定の条件が満たされた場合に、表示されている前記画面を縮小し、縮小してできた空き領域に、満たされた前記所定の条件に応じた情報を表示する。【選択図】図２
2018097682.tif 000002
【特許請求の範囲】
【請求項１】
監視制御対象となるプラントに関する情報を表示する画面を制御する表示制御部を備え、
前記表示制御部は、所定の条件が満たされた場合に、表示されている前記画面を縮小し、縮小してできた空き領域に、満たされた前記所定の条件に応じた情報を表示する監視制御支援装置。
【請求項２】
前記表示制御部は、前記プラントの設置場所の付近一帯の天気を表す天気マークを、前記プラントに対応付けて表示する、請求項１に記載の監視制御支援装置。
【請求項３】
前記表示制御部は、前記プラントの設置場所の付近一帯の天気に基づいて、前記画面上のウインドウの表示態様を変更する、請求項１又は２に記載の監視制御支援装置。
【請求項４】
前記表示制御部は、前記画面の背景に前記プラントの設置場所の付近一帯の天気を表す天気マークを表示する、請求項１から３のいずれか一項に記載の監視制御支援装置。
【請求項５】
前記表示制御部は、前記画面の背景に前記プラントの設置場所の付近一帯の天気を表す天気マークを表示する、請求項１から４のいずれか一項に記載の監視制御支援装置。
【請求項６】
監視制御対象となるプラント付近の気象情報を収集する情報収集部をさらに備え、
前記表示制御部は、収集された前記気象情報から得られる未来の気象情報の推移と、過去の気象情報の推移とが対応付けられた画面を表示する、請求項１から５のいずれか一項に記載の監視制御支援装置。
【請求項７】
前記表示制御部は、前記画面と、警報注意報とが紐づけられている場合、前記警報注意報が発令されると、発令された警報注意報に対応付けられている画面と、前記警報注意報に関する情報とを同一画面に表示する、請求項１から６のいずれか一項に記載の監視制御支援装置。
【請求項８】
警報注意報が発令された際に行われた操作内容と、操作に応じて変化が生じる設備に関する情報を対応付けて記憶する記憶部をさらに備え、
前記表示制御部は、警報注意報が発令された際に、発令された警報注意報に関する操作内容が前記記憶部に記憶されている場合、前記操作内容と、前記操作に応じて変化が生じる設備に関する情報とを表示する、請求項１から７のいずれか一項に記載の監視制御支援装置。
【請求項９】
前記プラントが設置されている付近の天気に関する条件と、前記条件が満たされた場合に画面に表示する表示内容とを対応付けて記憶する記憶部をさらに備え、
前記表示制御部は、新たに取得された気象情報に基づいて前記記憶部に記憶されている条件が満たされた場合、前記条件が満たされた表示内容を画面に表示する、請求項１から８のいずれか一項に記載の監視制御支援装置。
【発明の詳細な説明】
【技術分野】
【０００１】
本発明の実施形態は、監視制御支援装置に関する。
【背景技術】
【０００２】
従来、上下水道プラントの監視制御において、ＴＶやインターネットを介して気象情報を確認し、気象情報に応じて上下水道プラント内の設備の制御が行われていた。しかしながら、監視と制御を連携させるためには、監視画面と、気象情報を表示する端末とを見比べながら作業を実施する必要があった。そのため、上下水道プラントの監視制御において作業効率が低下してしまう場合があった。
【先行技術文献】
【非特許文献】
【０００３】
【非特許文献１】気象庁ホームページ、［online］、［平成２８年９月１５日検索］、インターネット＜ＵＲＬ：http://www.jma.go.jp/jp/warn/338_table.html＞
【非特許文献２】気象庁ホームページ、［online］、［平成２８年９月１５日検索］、インターネット＜ＵＲＬ：http://www.jma.go.jp/jp/yoho/319.html＞
【発明の概要】
【発明が解決しようとする課題】
【０００４】
本発明が解決しようとする課題は、上下水道プラントの監視制御において作業効率を向上させることができる監視制御支援装置を提供することである。
【課題を解決するための手段】
【０００５】
実施形態の監視制御支援装置は、表示制御部を持つ。表示制御部は、監視制御対象となるプラントに関する情報を表示する画面を制御し、所定の条件が満たされた場合に、表示されている前記画面を縮小し、縮小してできた空き領域に、満たされた前記所定の条件に応じた情報を表示する。
【図面の簡単な説明】
【０００６】
【図１】実施形態の監視制御支援システム１００のシステム構成を示す図。
【図２】実施形態の監視制御支援装置２０の機能構成を表す概略ブロック図。
【図３】実施形態の通常時における監視制御支援装置２０の処理の流れを示すフローチャート。
【図４】実施形態の帳票の具体例を示す図。
【図５】実施形態のヒューマンインタフェース装置３０に表示された監視画面の一例を示す図。
【図６】実施形態の警報注意報発令時における監視制御支援装置２０の処理の流れを示すフローチャート。
【図７】実施形態のヒューマンインタフェース装置３０の表示画面の一例を示す図。
【図８】実施形態の警報注意報発令前にヒューマンインタフェース装置３０に表示されている画面５７の一例を示す図。
【図９】実施形態の画面縮小の一例を示す図。
【図１０】実施形態の画面縮小時における表示例を示す図。
【図１１】天気マークの一例を示す図。
【図１２】ヒューマンインタフェース装置３０の表示画面の一例を示す図。
【図１３】予測結果の表示例を示す図。
【図１４】条件テーブルの一例を示す図。
【図１５】配置体制リストの一例を示す図。
【図１６】警報注意報発令時における操作情報の記憶処理を説明するための図。
【発明を実施するための形態】
【０００７】
以下、実施形態の監視制御支援装置を、図面を参照して説明する。
図１は、実施形態の監視制御支援システム１００のシステム構成を示す図である。本実施形態における監視制御支援システム１００は、プラントを監視及び制御するシステムである。プラントは、例えば、浄水場や配水場等の水道施設、下水処理場、ポンプ場や汚泥処理場等の下水道施設、または産業排水処理設備等である。監視制御支援システム１００は、複数の計測装置１０−１〜１０−ｎ（ｎは２以上の整数）、監視制御支援装置２０及びヒューマンインタフェース装置３０を備える。複数の計測装置１０−１〜１０−ｎ及び監視制御支援装置２０は、ネットワーク４０を介して通信可能に接続される。ネットワーク４０は、例えば公衆電話網を用いて構成される。また、監視制御支援装置２０及びヒューマンインタフェース装置３０は、ＬＡＮ（Local Area Network）を介して通信可能に接続される。なお、以下の説明では、計測装置１０−１〜１０−ｎについて区別しない場合には計測装置１０と記載する。
【０００８】
計測装置１０は、プラント内における水源の水位及び流量などの計測データの測定・計測を行う。各計測装置１０は、互いに離れた場所に備えられる。例えば、計測装置１０−１はプラントＡに備えられ、計測装置１０−ｎはプラントＢに備えられる。なお、１つのプラントには複数の計測装置１０が備えられてもよい。
監視制御支援装置２０は、計測装置１０によって計測された計測データを収集し、収集した計測データに基づいて、ヒューマンインタフェース装置３０にプラントの状態を表示する。
【０００９】
ヒューマンインタフェース装置３０は、パーソナルコンピュータ等の情報処理装置を用いて構成される。ヒューマンインタフェース装置３０は、監視制御支援装置２０からの制御に従ってプラントの状態を表す画面を表示する。ヒューマンインタフェース装置３０は、プラントの監視者から指示を受け付ける。ヒューマンインタフェース装置３０は、監視者から入力された指示を監視制御支援装置２０に出力する。
【００１０】
図２は、監視制御支援装置２０の機能構成を表す概略ブロック図である。
監視制御支援装置２０は、バスで接続されたＣＰＵ（Central Processing Unit）やメモリや補助記憶装置などを備え、監視制御プログラムを実行する。監視制御プログラムの実行によって、監視制御支援装置２０は、情報収集部２１、操作情報入力部２２、記憶部２３、帳票作成部２４、表示制御部２５を備える装置として機能する。なお、監視制御支援装置２０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、監視制御プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、監視制御プログラムは、電気通信回線を介して送受信されてもよい。
【００１１】
情報収集部２１は、各種情報を収集する。例えば、情報収集部２１は、計測装置１０から計測データを収集する。また、例えば、情報収集部２１は、市町村単位で発令される警報注意報を収集する。また、例えば、情報収集部２１は、気象庁、インターネット、アメダス観測所等で提供されている気象情報を収集する。気象情報は、例えば天気予報、降水量、気温、風向、風速、積雪量及び日照時間等である。また、例えば、情報収集部２１は、河川情報センターが提供している雨量、河川水位及びダム諸量等の河川情報を収集する。
操作情報入力部２２は、ヒューマンインタフェース装置３０において入力された指示を受け付ける。
【００１２】
記憶部２３は、磁気ハードディスク装置や半導体記憶装置などの記憶装置を用いて構成される。記憶部２３は、計測データ２３１、気象情報２３２、河川情報２３３、画面データ２３４及び帳票２３５を記憶する。
計測データ２３１は、計測装置１０によって計測されたデータである。
気象情報２３２は、情報収集部２１によって収集された気象情報である。例えば、気象情報２３２は、過去数日分（例えば、一週間分）の気象情報である。
【００１３】
河川情報２３３は、情報収集部２１によって収集された河川情報である。例えば、河川情報２３３は、過去数日分（例えば、一週間分）の河川情報である。
画面データ２３４は、ヒューマンインタフェース装置３０に表示させる画面のデータである。画面データ２３４は、例えばプロセスフローの画面データ、各プラントの監視画面データである。
帳票２３５は、帳票作成部２４によって作成された帳票のデータである。
【００１４】
帳票作成部２４は、記憶部２３に記憶されている計測データ２３１及び気象情報２３２に基づいて帳票を作成する。
表示制御部２５は、記憶部２３に記憶されている計測データ２３１、気象情報２３２、河川情報２３３及び画面データ２３４に基づいて、ヒューマンインタフェース装置３０の画面上の表示を制御する。
【００１５】
図３は、通常時における監視制御支援装置２０の処理の流れを示すフローチャートである。ここで、通常時とは、警報注意報が発令されていない時点を表す。
情報収集部２１は、各種情報を収集する（ステップＳ１０１）。情報収集部２１は、収集した情報を記憶部２３に記憶する。例えば、情報収集部２１は、気象情報を収集した場合には、収集した気象情報を気象情報２３２に記憶する。また、例えば、情報収集部２１は、河川情報を収集した場合には、収集した河川情報を河川情報２３３に記憶する。
【００１６】
帳票作成部２４は、帳票の作成タイミングであるか否か判定する（ステップＳ１０２）。帳票の作成タイミングは、予め設定された時刻であってもよい。帳票の作成タイミングである場合（ステップＳ１０２−ＹＥＳ）、帳票作成部２４は記憶部２３に記憶されている計測データ２３１及び気象情報２３２に基づいて帳票を作成する。図４は、帳票の具体例を示す図である。図４に示すように、帳票作成部２４は、帳票の天気の項目（図４の破線の項目）に、気象情報２３２から得られる天気予報の情報を割り当てることによって帳票を作成する。帳票作成部２４は、作成した帳票を帳票２３５に記憶する（ステップＳ１０３）。
帳票の作成タイミングではない場合（ステップＳ１０２−ＮＯ）、又は、ステップＳ１０３の処理が終了した後、操作情報入力部２２はヒューマンインタフェース装置３０に対する表示画面の指示を受け付ける（ステップＳ１０４）。
【００１７】
監視者がヒューマンインタフェース装置３０に対する表示画面の指示を入力すると、操作情報入力部２２は入力された指示を入力する。操作情報入力部２２は、入力した指示を表示制御部２５に出力する。表示制御部２５は、操作情報入力部２２から出力された指示に応じて、記憶部２３から気象情報２３２と、画面データ２３４とを取得し、取得した画面データ２３４とともに、気象情報２３２から得られる現在の天気を表す天気マークをヒューマンインタフェース装置３０に表示する（ステップＳ１０５）。
【００１８】
具体的には、表示制御部２５は、プロセスフローの画面データ上において、プラントの設置場所の付近一帯の現在の天気を表す天気マークを各プラントに対応付けて表示する。ここで、設置場所の付近一帯とは、プラントが設置されている場所全域であってもよいし、プラントが設置されている場所とプラントが設置されている場所から所定の範囲内（例えば、周囲数ｋｍ）の領域であってもよいし、プラントが設置されている場所から所定の範囲内のみの領域であってもよい。図５は、ヒューマンインタフェース装置３０に表示された画面の一例を示す図である。図５に示す画面には、プラント（第１水源〜第４水源）毎に天気マーク５３が対応付けて表示されている。監視者によって、天気マークが押下されると、表示制御部２５は押下された天気マークが対応付けられているプラントの付近一帯の３日間予報、７日間予報、発令中の警報注意報のどの画面を表示するかを選択するためのメニューを表示する。メニューが選択されると、表示制御部２５は選択された画面をヒューマンインタフェース装置３０の画面上に表示する。
【００１９】
また、表示制御部２５は、画面上のウインドウ５４のタイトル色又は背景色をプラントの設置場所の付近一帯の天気の状況によって変化させる。変化させる例として、雨の場合は青、晴れの場合は赤等といった態様が挙げられる。なお、ウインドウ５４に表示させる対象となる設置場所は１つの設置場所又は複数の設置場所とする。１つの設置場所の場合はウインドウ５４のタイトル色・背景色は単色表示とする。複数の設置場所の場合には、背景領域、タイトル領域を設置場所数によって分割する。この場合、分割した領域毎に設置場所を登録する必要がある。そして、表示制御部２５は、登録された設置場所毎の天気に基づいて、ウインドウ５４のタイトル色・背景色をグラデーション表示する。その後、監視制御支援装置２０は、処理を終了する。
【００２０】
図６は、警報注意報発令時における監視制御支援装置２０の処理の流れを示すフローチャートである。
情報収集部２１は、警報注意報が発令されると、警報注意報を表示制御部２５に出力する。表示制御部２５は、情報収集部２１が収集した警報注意報に基づいて、所定の条件が満たされたか否か判定する（ステップＳ２０１）。所定の条件とは、警報注意報に関する条件であり、例えば情報収集部２１が収集した警報注意報が、特定の警報注意報ではないといった条件のことである。特定の警報注意報がどの警報注意報であるのかについては、予め設定されていてもよい。なお、設定は、ユーザが監視制御支援装置２０を操作することによって適宜変更可能である。
【００２１】
警報注意報が、特定の警報注意報である場合、表示制御部２５は所定の条件が満たされていないと判定する。一方、警報注意報が、特定の警報注意報ではない場合、表示制御部２５は所定の条件が満たされたと判定する。所定の条件が満たされていない場合（ステップＳ２０１−ＮＯ）、表示制御部２５は予め特定の警報注意報に紐づけられている特定の警報注意報が発令された地点に該当するプラントに関するアラームと、該当するプラントを含むプロセスフローの画面、又は、グラフィック画面とをヒューマンインタフェース装置３０の同一画面上に表示する（ステップＳ２０２）。
【００２２】
図７は、ヒューマンインタフェース装置３０に表示される画面の一例を示す図である。図７に示すように、ヒューマンインタフェース装置３０の画面上に、アラーム５５と、プロセスフロー画面５６とが表示されている。表示制御部２５は、プロセスフロー画面５６において、アラーム５５で示される内容に該当するプラント及び設備と、アラーム５５で示される内容に該当しないプラント及び設備とを異なる態様で表示してもよい。例えば、表示制御部２５は、アラーム５５で示される内容に該当しないプラント及び設備をグレーアウトで表示してもよい。
一方、所定の条件が満たされた場合（ステップＳ２０１−ＹＥＳ）、表示制御部２５は現在ヒューマンインタフェース装置３０に表示している画面を縮小し、発令された警報注意報を表示する（ステップＳ２０３）。具体的な処理について、図８から図１０を用いて説明する。
【００２３】
図８は、警報注意報発令前にヒューマンインタフェース装置３０に表示されている画面５７の一例を示す図である。図８に示す画面５７内の領域５８には、各地域に点在しているプラントの情報が表示され、領域５８には各プラントの位置情報とプラントの付近一帯の現在の気象情報が表示されている。ここで、警報注意報が発令されると、表示制御部２５は図８示す画面５７を、図９に示すようにヒューマンインタフェース装置３０の画面上で縮小する。なお、図９では、表示制御部２５が、画面５７を右下に縮小する構成を示しているが、画面５７をヒューマンインタフェース装置３０の画面上で縮小すればどのように縮小してもよい。図９に示す処理により、ヒューマンインタフェース装置３０の画面に空き領域６０が生成される。その後、表示制御部２５は、図１０に示すように、生成された空き領域６０に、発令された警報注意報６１や、気象情報や、発令された警報注意報６１に伴い生じる可能性のある処理に対するガイダンス６２等の支援情報を表示する。
【００２４】
以上のように構成された監視制御支援システム１００によれば、上下水道プラントの監視制御において作業効率を向上させることができる。具体的には、監視制御支援装置２０は、警報注意報発令時において、ヒューマンインタフェース装置３０に現在表示されている画面を縮小する。そして、監視制御支援装置２０は、縮小してできた空き領域に支援情報を表示する。このように、ヒューマンインタフェース装置３０に現在表示されている画面が動的に変わることにより、監視者は警報注意報発令時に迅速に情報を把握することができる。そのため、作業効率を向上させることが可能になる。
【００２５】
また、固定エリアに警報注意報の表示がまとめられるため情報の視認性を向上させることができる。気象情報をプラントの情報が表示されている画面と同一画面上に表示する。これにより、監視者は、１画面で監視・制御と連携して作業を実施することが可能になる。また、同じ画面上に必要な情報が表示されているため、監視者はプラントの運用に影響する気象情報に迅速に対応することが可能になる。
【００２６】
また、上下水道では、各地に水源地やポンプ場といった施設が点在している。プロセスフロー中では、点在する施設を表示し、水位等を観測する。プロセスフロー中に施設毎の天気・雨量等を表示する。これにより、ポンプを動かす等の監視・制御に活用し、施設の効率的な運用が可能となる。これにより、各画面上で、天気を確認することが可能になる。その結果、天気の確認時間が短縮され、監視・制御を迅速に進めることが可能になる。
また、帳票作成時に、気象情報が自動的に入力される。これにより、帳票作成者が、帳票作成時に気象情報を手入力することが無くなる。したがって、帳票作成者の作業に要する手間を軽減することができる。さらに、取得した気象情報がそのまま入力されるため、手入力に比べて入力ミスを軽減することができる。
【００２７】
以下、監視制御支援システム１００の変形例について説明する。
監視制御支援装置２０及びヒューマンインタフェース装置３０は、一体化されて構成されてもよい。
本実施形態では、警報注意報発令時に画面を縮小する構成を示したが、表示制御部２５は雨量などが所定の閾値を超えた場合に画面を縮小してその旨をガイダンスとして表示してもよい。
監視制御支援装置２０は、天気マークを表示する対象となる地点（例えば、市町村）の登録を受け付け、登録された地点に対する天気マークをヒューマンインタフェース装置３０の画面上に表示するように構成されてもよい。このように構成される場合、記憶部２３は、天気マークを表示する対象となる地点の情報を登録情報として記憶する。そして、表示制御部２５は、登録情報に基づいて、対象となる地点の現在の天気を表す天気マークをヒューマンインタフェース装置３０の画面上に表示する。
【００２８】
例えば、表示制御部２５は、図１１に示すような表示をヒューマンインタフェース装置３０の画面上に表示し、一定の時間間隔で、登録されている他の地点の天気を表す天気マークに切り替える。また、表示制御部２５は、表示中の天気マークの横に矢印を表示し、矢印が押下されると、登録されている他の地点の天気を表す天気マークに切り替えるように構成されてもよい。なお、表示制御部２５は、図１１に示す表示を、図５に示すプロセスフロー画面上に表示させてもよいし、図８に示す画面上に表示させてもよい。このように構成されることによって、省スペースで、多くの地点の天気を表示することが可能になる。
【００２９】
本実施形態では、図５に示すように、プラント毎に天気マーク５３を表示する構成を示したが、これに限定される必要はない。例えば、表示制御部２５は、図１２に示すように、ヒューマンインタフェース装置３０の画面上の背景に天気マークを表示させるように構成されてもよい。このように構成される場合、表示制御部２５は、予め設定されたプラントの付近一帯の天気情報に基づいて画面の背景に表示する天気マークを決定する。このように構成されることによって、監視員は、監視を続行しながら、天気を確認する事が可能にする。また、天気が急変していく中でも、天気の確認と監視・制御を並行して実施する事が可能となる。
また、表示制御部２５は、複数のプラントが登録された場合、画面の背景を登録された数に応じて分割し、分割後の各領域それぞれに、天気情報に基づいて画面の背景に表示する天気マークを決定して表示する。
【００３０】
また、監視制御支援装置２０は、気象情報２３２に基づいて、数時間後、数日後の気象情報２３２の推移の変化の予測結果をヒューマンインタフェース装置３０の画面上に表示するように構成されてもよい。また、監視制御支援装置２０は、天気情報提供会社から予測結果を取得してもよい。図１３は、予測結果の表示例を示す図である。図１３には、現在の日時「２０ＸＸ−ＹＹ−ＺＺ  １３：２０：００」を基準に、過去の気象情報２３２の推移６３と、未来の気象情報２３２の推移６４とが示されている。
このような表示がなれることにより、プラントの運用判断に利用する事が可能になる。例えば、図１３の表示対象が雨量の推移の場合、雨量が増加することが予測されるため、ポンプを早めに運転させる、浸水に備えて人員を配置するなどの判断に利用することが可能になる。
【００３１】
表示制御部２５は、新たに気象情報として天気予報が取得された場合、蓄積している気象情報２３２に基づく条件に従ってプラント内で想定される現象に関する内容をヒューマンインタフェース装置３０の画面上に表示するように構成されてもよい。このように構成される場合、記憶部２３は、図１４に示す条件テーブルを記憶する。なお、条件テーブルは、ユーザが監視制御支援装置２０を操作することによって適宜変更可能である。図１４に示すように、条件テーブルは、レコードを複数有する。レコードは、表示条件及び表示内容の各値を有する。表示条件は、表示内容を表示するための条件を表す。表示内容は、表示条件が満たされた場合に、表示制御部２５がヒューマンインタフェース装置３０の画面上に表示する内容を表す。
【００３２】
図１４において、条件テーブルの最上段に登録されているレコードは、表示条件の値が“晴が連続５日以上、取得した天気予報が雨の場合に判断”、表示内容の値が“流入量が減る可能性あり”である。すなわち、新たに取得された天気予報が雨であり、過去の天気が晴が５日以上続いている場合に、“流入量が減る可能性あり”との内容をヒューマンインタフェース装置３０の画面上に表示することが表されている。このように構成される場合の処理の流れについて説明する。
【００３３】
ここで、監視制御支援装置２０は、図１４に示す条件テーブルを記憶し、過去の天気が５日間“晴”であるとする。情報収集部２１は、気象情報（例えば、“雨”）を収集する。情報収集部２１は、収集した気象情報を気象情報２３２に記憶する。これにより、現在の気象情報２３２が“雨”に更新される。表示制御部２５は、気象情報２３２と、条件テーブルとに基づいて、表示内容を表示するか否か判断する。この場合には、条件テーブルの条件を満たすため、表示制御部２５はヒューマンインタフェース装置３０の画面上に“流入量が減る可能性あり”との内容を表示する。
このように構成されることによって、作業員の運転判断に利用することができる。例えば、晴れが続くと雨水の浸透率が上がるため、雨水の排水管への流入量は少ない。一方、雨が続くと雨水が浸透出来なくなり排水管への流入量は増える。このため、表示制御部２５は、過去の天気に基づいて、プラント内で想定される現象に関する内容を表示する。これにより、作業員は、運転判断の参考として利用することができる。
【００３４】
監視制御支援装置２０は、警報注意報が発令された場合に、ヒューマンインタフェース装置３０の画面上に、人員の配置体制のリストを表示するように構成されてもよい。例えば、警報注意報が発令された場合、警報注意報で示される地点に人員を配置する体制をとるプラントが存在する。そこで、監視制御支援装置２０は、予め登録されたプラントにおいて、人員の配置体制のリストを表示する。このように構成される場合、監視制御支援装置２０は、図１５に示す配置体制リストを記憶部２３に記憶する。
【００３５】
図１５に示すように、配置体制リストは、レコードを複数有する。レコードは、地点、配置員及び連絡先の各値を有する。地点は、人員を配置させる対象となる場所を表す。配置員は、その地点に配置される人員を表す。連絡先は、配置員の連絡先を表す。
図１５において、配置体制リストの最上段に登録されているレコードは、地点の値が“Ａ”、配置員の値が“Ａ郎”、連絡先の値が“ＸＸＸ−ＸＸＸ−ＸＸＸ”である。すなわち、地点に配置される人員が“Ａ郎”であり、“Ａ郎”の連絡先が“ＸＸＸ−ＸＸＸ−ＸＸＸ”であることが表されている。このように構成される場合の処理の流れについて説明する。
【００３６】
情報収集部２１によって、警報注意報が収集された場合、表示制御部２５は配置体制リストの地点と、警報注意報で示される警報・注意の対象となる地点とに基づいて配置体制リストを表示するか否か判断する。ここで、警報注意報で示される警報・注意の対象となる地点が地点“Ａ”であるとする。この場合には、配置体制リストに該当するレコードがあるため、表示制御部２５はヒューマンインタフェース装置３０の画面上に配置体制リストを表示する。なお、表示制御部２５は、配置体制リストのレコードのうち警報注意報で示される警報・注意の対象となる地点に該当するレコードのみを表示してもよい。また、監視制御支援装置２０は、配置体制リストに該当するレコードがある場合、該当した配置員に対して電話、メール及びプラント内の放送により配置体制及び発報された警報注意報を周知するように構成されてもよい。なお、監視制御支援装置２０は、配置体制又は発報された警報注意報のいずれかを周知するように構成されてもよい。
【００３７】
また、監視制御支援装置２０は、警報注意報が発令された場合に実施された操作内容を記憶し、後日同じ警報注意報が発令された際に、記憶している操作内容をヒューマンインタフェース装置３０の画面上に表示するように構成されてもよい。このように構成される場合、操作情報入力部２２は、実施された操作内容と、操作後に値の変化が行った信号とを対応付けて操作情報として警報注意報毎に記憶部２３に記憶する。ただし、アラームや、ガイダンスの確認等の、操作により信号が閾値以上変化しない操作は記憶対象外とする。
【００３８】
そして、表示制御部２５は、後日警報注意報が発令された際に、操作情報を参照し、今回発令された警報注意報と同じ警報注意報が過去に発令されているか否か判定する。今回発令された警報注意報と同じ警報注意報が過去に発令されている場合、表示制御部２５は操作情報を参照し、該当する警報注意報に対応付けられている操作情報を取得する。そして、表示制御部２５は、取得した操作情報を、ヒューマンインタフェース装置３０の画面上に表示する。一方、今回発令された警報注意報と同じ警報注意報が過去に発令されていない場合、操作情報入力部２２は今回行われた操作内容を操作情報として記憶部２３に記憶する。
このように構成される場合の処理の流れについて説明する。
【００３９】
図１６は、警報注意報発令時における操作情報の記憶処理を説明するための図である。図１６（Ａ）に示すように、ヒューマンインタフェース装置３０の画面上には、グラフィック画面Ａが表示されているとする。ここで、警報注意報として大雨警報が発令された場合、表示制御部２５は操作情報を参照し、今回発令された警報注意報と同じ警報注意報が過去に発令されているか否か判定する。本説明では、同じ警報注意報が過去に発令されていないものとする。操作情報入力部２２は、作業者が今回の警報注意報に対して行った操作内容を入力する。今回の警報注意報に対して実施した操作内容として図１６（Ｂ）に示す操作が実施されたとする。ここで、操作情報入力部２２は、実施された操作のうち、操作後に信号が変化しないアラーム確認、ガイダンス確認の操作を記憶対象外の操作として除外し、他の操作を操作情報として記憶部２３に記憶する。この処理において記憶された操作情報を図１６（Ｃ）に示す。
【００４０】
なお、表示制御部２５は、今回発令された警報注意報と同じ警報注意報に対する操作情報として最新の情報をヒューマンインタフェース装置３０の画面上に表示してもよいし、同じ警報注意報に対する操作情報が複数蓄積されている場合には複数の操作情報をヒューマンインタフェース装置３０の画面上に表示してもよい。
これにより、実施された操作と、その操作により生じる影響を確認することができるため、プラント運用の判断に利用可能となる。
【００４１】
以上説明した少なくともひとつの実施形態によれば、監視制御対象となるプラントに関する情報を表示する画面を制御し、所定の条件が満たされた場合に、表示されている画面を縮小し、縮小してできた空き領域に、満たされた所定の条件に応じた情報を表示する表示制御部２５を持つことにより、上下水道プラントの監視制御において作業効率を向上させることができる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１０（１０−１〜１０−ｎ）…計測装置，２０…監視制御支援装置，３０…ヒューマンインタフェース装置，４０…ネットワーク，２１…情報収集部，２２…操作情報入力部，２３…記憶部，２３１…計測データ，２３２…気象情報，２３３…河川情報，２３４…画面データ，２３５…帳票，２４…帳票作成部，２５…表示制御部
【図１】
2018097682.tif 000003
【図２】
2018097682.tif 000004
【図３】
2018097682.tif 000005
【図４】
2018097682.tif 000006
【図５】
2018097682.tif 000007
【図６】
2018097682.tif 000008
【図７】
2018097682.tif 000009
【図８】
2018097682.tif 000010
【図９】
2018097682.tif 000011
【図１０】
2018097682.tif 000012
【図１１】
2018097682.tif 000013
【図１２】
2018097682.tif 000014
【図１３】
2018097682.tif 000015
【図１４】
2018097682.tif 000016
【図１５】
2018097682.tif 000017
【図１６】
2018097682.tif 000018